(57)【要約】      （修正有）【課題】篩い網が下向きに窪む状況を軽くする振動篩分け機の構造を提供する。【解決手段】主に振動ユニット１及び篩い分けモジュール２で構成する。該振動ユニット１の上方に篩い分けモジュール２を定位する。該篩い分けモジュール２は台座２１を具有し、上方に材料入れ２１１を設け、且つ材料入れ２１１の内部は収納スペース２１０を形成する。更に材料入れ２１１は収納スペース２１０の底部に材料集め穴２１４を設け、また、材料集め穴２１４から材料入れ２１１の外側に貫通して外部の下方に向けて傾斜して延伸する材料出口２１５を具有する。更に台座２１の上方に篩い分けプレート２２を設け、該篩い分けプレート２２に定位リング２２１を具有する。更に定位リング２２１の頂上端から内側に向けて環状の結合部２２２を設ける。結合部２２２に結合部２２２内部を覆う篩い網２３を設け、更に篩い分けプレート２２の上方に環状外枠２４を設ける。【選択図】図２
0003208848.tif 000002
【実用新案登録請求の範囲】
【請求項１】
振動ユニット及び篩い分けモジュールを含み、
該振動ユニットはケースを具有し、該ケース内にモーターを収納し、且つモーターの上方に結合するのは、定位フレーム及びケースと定位フレームの間に定位できる複数の弾性部品であり、更にモーターが具有するシャフトの上下二箇所にそれぞれ外向きに逆方向に、運転時に上下左右及び傾斜振動機能を生じる重りを設け、更に定位フレームの上方に振動ユニットの外側を覆うことのできるカバーを定位し、振動ユニットの上方に篩い分けモジュールを定位し、
該篩い分けモジュールは台座を具有し、更に台座の上方に材料入れを設け、且つ材料入れの内部は収納スペースを形成し、更に材料入れの頂上端に外向きに第一凸縁を折り、材料入れは収納スペース内に、台座に向けて集中して傾斜する導引面を設け、且つ導引面の中央底部に材料集め穴を設け、また、材料集め穴から材料入れの外側に貫通して外部の下方に向けて傾斜して延伸する材料出口があり、
更に材料入れの上方に篩い分けプレートを設け、該篩い分けプレートが具有する定位リングの底部に外向きに第二凸縁を折り、該第二凸縁に底面を套接して第一凸縁と抵触し、且つ内側に定位リングと抵触する密閉マットを設け、更に定位リングの頂上端から内側に向けて結合面を具有する環状の結合部を設け、結合部には結合部内部を覆う篩い網を設け、且つ篩い網の周囲と結合面との間に溶接部を設け、更に篩い分けプレートの上方に環状外枠を設け、該外枠の内部に材料投入スペースを形成し、また、該外枠の底部に外側に向けて、密閉マットの表面と抵触する第三凸縁を折ることを特徴とする振動篩分け機の構造。
【請求項２】
篩い分けプレート及び篩い網を含み、
該篩い分けプレートは定位リングを具有し、且つ定位リングの底部から外側に向けて第二凸縁を折り、且つ第二凸縁に密閉マットを套接し、該定位リングの頂上端から内側に向けて結合部を設け、更に結合部の表面に結合面を具有し、
該篩い網を結合し、且つ篩い分けプレートの結合部を覆い、且つ篩い網の周囲と結合面との間に溶接部を設けることを特徴とする振動篩分け機の構造。
【請求項３】
篩い分けモジュールを含み、
該篩い分けモジュールは材料入れを具有し、且つ材料入れの内部は収納スペースを形成し、更に材料入れは収納スペースの底部に材料集め穴を設け、且つ材料集め穴から材料入れの外側に貫通して外部の下方に向けて傾斜して延伸する材料出口を具有し、更に台座の上方に篩い分けプレートを設け、該篩い分けプレートに定位リングを具有し、且つ定位リングの頂上端から内側に向けて環状の結合部を設け、該結合部に結合部の内部を覆う篩い網を覆い、更に篩い分けプレートの上方に環状の外枠を設け、更に外枠の内部に材料投入スペースを形成することを特徴とする振動篩分け機の構造。    
【考案の詳細な説明】
【技術分野】
【０００１】
本考案は一種の振動篩分け機の構造に関し、特に振動ユニットの上方に篩い分けモジュールを定位し、該篩い分けモジュールの篩い分けプレートに定位リングを具有し、且つ定位リングを内側に向けて結合部を設け、且つ結合部に篩い網を設ける。そうすれば結合部を通じて篩い分けプレートと篩い網の間にある結合面積を増やして結合の強度を増すことで、長期的に材料を篩い分けることで篩い網が下に窪む確率を下げる振動篩分け機の構造に関する。
【背景技術】
【０００２】
市場では一種の振動篩分け機を開発している。振動を利用し、篩い網にある粉末を顆粒のサイズに基づき分類するツールであり、振動の頻度及び網目のサイズに基づき、異なる材料に応用することができる。図９に示すのは、従来の振動篩分け機の立体分解図である。該従来の振動篩分け機に含まれるのは、振動ユニットＡ及びその上方に定位する篩い分けモジュールＢである。該篩い分けモジュールＢは材料収納ロートＢ１及び該内部に少なくとも一層以上の網台Ｂ２を具有する。また、材料収納ロートＢ１の外側の端に、篩い分けた材料を出す材料出口Ｂ１１を形成し、且つ網台Ｂ２は定位リングＢ２１及び上方に一体或いは分けて製造するフレームＢ２２を具有し、更に定位リングＢ２１の内部に篩い網Ｂ２１１を設ける。
【０００３】
しかし、目下市場にある振動篩分け機の定位リングＢ２１と篩い網Ｂ２１１との間の結合力が足りず、振動ユニットＡを長期的に選別作業に使用すると、該篩い網Ｂ２１１は下向きに窪む、或いは定位リングＢ２１と篩い網Ｂ２１１が結合する場所に構造が崩壊し、篩い網Ｂ２１１の網目が裂ける状況が生じることを鑑みて、更なる改善が必要であった。
【先行技術文献】
【特許文献】
【０００４】
【特許文献１】特開2016-190186号公報
【考案の概要】
【考案が解決しようとする課題】
【０００５】
前記公知構造の欠点を解決するため、本考案の第１の目的は、篩い分けプレートと篩い網との間の結合面積を増やすことで、結合の強度を増し、それにより長期的に材料を選別することにより、定位リングの内側の篩い網が下向きに窪む状況を軽くすることで、使用回数を増やす目的に達する振動篩分け機の構造を提供することにある。
【０００６】
本考案の第２の目的は、篩い分けプレートの上方に、更に一つの目の細かい篩い網を載せ、更に外枠を下向きに重ねて置くだけで、材料が篩い網及び目の細かい篩い網を通って選別されて分けられた後、更に材料出口から導き出される。組立は大変簡単且つ異なる目の大きさの篩い分けプレートを交換する必要がなく、使用上の便利性が増す目的に達する振動篩分け機の構造を提供することにある。
【課題を解決するための手段】
【０００７】
上述の目的を解決するために、本考案は振動篩分け機の構造を提供するものである。本考案の主な目的は、該振動ユニットの上方に篩い分けモジュールを定位し、該篩い分けモジュールの篩い分けプレートが具有する定位リングの頂上端から内側に向けて結合部を設け、且つ結合部に篩い網を結合する。篩い分けモジュールで長期的に材料を選別する際、該篩い分けプレートは内側に向けて設ける結合部を通じて、篩い分けプレートと篩い網との間の結合面積を増やすことで、結合の強度を増し、それにより長期的に材料を選別することにより、定位リングの内側の篩い網が下向きに窪む状況を軽くすることで、使用回数を増やす目的に達する。
【０００８】
本考案の第２の目的は、該篩い分けモジュールの篩い分けプレートを重ねて台座の上に置き、且つ篩い分けプレートの上方に、更に一つの目の細かい篩い網を敷く。更に外枠を下向きに重ねて置くことで、目の細かい篩い網は、篩い分けプレートが具有する密閉マットの上表面及び外枠の第三凸縁の底面によって挟まれるため、振動ユニットを起動して上下、左右及び傾斜の振動を生じさせることで、材料が篩い網及び目の細かい篩い網を通って選別されて分けられた後、更に材料出口から導き出される。組立は大変簡単且つ異なる目の大きさの篩い分けプレートを交換する必要がなく、使用上の便利性が増す目的に達する。  
【考案の効果】
【０００９】
本考案の構造により、結合面積が増えて、結合の強度が増し、それにより長期的に材料を選別することにより、定位リングの内側の篩い網が下向きに窪む状況を軽くすることで、使用回数を増やすことができる。また、篩い分けプレートの上方に、更に一つの目の細かい篩い網を載せるだけで、細かい材料をも選別することができ、使用上の便利性が増す目的に達する
【図面の簡単な説明】
【００１０】
【図１】本考案の立体外観図である。
【図２】本考案の立体分解図である。
【図３】本考案の篩い分けプレートと篩い網の結合の立体外観図である。
【図４】本考案の篩い分けプレートと篩い網の結合の立体分解図である。
【図５】本考案の側面断面図である。
【図６】本考案の第２実施例の立体外観図である。
【図７】本考案の第３実施例の立体外観図である。
【図８】本考案の第３実施例の側面断面図である。
【図９】従来技術の立体分解図である。
【考案を実施するための形態】
【００１１】
以下、本考案の構造と特徴および効果を、最良実施例と図面を参照しながら詳細に説明する。
【実施例１】
【００１２】
図１、図２、図３、図４及び図５に示すのは、本考案の振動篩分け機であり、それに含まれるのは振動ユニット１及びその上方に定位する篩い分けモジュール２である。
【００１３】
該振動ユニット１はケース１１を具有し、該ケース１１内にモーター１２を収納し、且つモーター１２の上方に結合するのは、定位フレーム１３及びケース１１と定位フレーム１３の間に定位できる複数の弾性部品１４である。更にモーター１２が具有するシャフトの上下二箇所にそれぞれ外向きに逆方向に重り１２１を設け、更に定位フレーム１３の上方に振動ユニット１の外側を覆うことのできるカバー１３１を定位する。
【００１４】
該篩い分けモジュール２は台座２１を具有し、更に台座２１の上方に材料入れ２１１を設け、且つ材料入れ２１１の内部は収納スペース２１０を形成する。更に材料入れ２１１の収納スペース２１０の頂上端に外向きに第一凸縁２１２を折る。材料入れ２１１は収納スペース２１０に、台座２１に向けて集中して傾斜する導引面２１３を設ける。且つ導引面２１３の中央底部に材料集め穴２１４を設け、また、材料集め穴２１４から材料入れ２１１の外側に貫通して材料出口２１５を具有する。該材料出口２１５は外部の下方に向けて傾斜して延伸する。該台座２１は材料入れ２１１の上方に篩い分けプレート２２を設け、該篩い分けプレート２２の外回りに定位リング２２１を具有する。該定位リング２２１の底部に外向きに第二凸縁２２１１を折り、且つ第二凸縁２２１１の上に密閉マット２２１２を套接する。該密閉マット２２１２の底面は第一凸縁２１２を抵触し、且つ密閉マット２２１２の内側は定位リング２２１を抵触し、更に定位リング２２１の頂上端から内側に向けて環状の結合部２２２を設ける。且つ結合部２２２の上方に結合面２２２１を具有し、定位リング２２１に結合面２２２１と結合する篩い網２３を設けることで、結合部２２２の内部を覆う。また、篩い網２３の周囲と結合面２２２１との間に溶接部２３１を設ける。更に篩い分けプレート２２の上方に環状外枠２４を設ける。且つ外枠２４の内部に材料投入スペース２４０を形成し、該外枠２４の底部に外向きに第三凸縁２４１を折る。また、第三凸縁２４１の底面は密閉マット２２１２の表面に抵触する。
【００１５】
上述の結合部２２２の結合面２２２１と篩い網２３の最良実施例として、レーザーで溶接する方法で結合して組立てる。しかし、実際応用する際には、粘着やリベット、或いはネジなどの方法によって固定することもできる。本考案の説明書及び図式の範囲内にて変更や調整を行っても、本考案の重要な意義は失われず、本考案の範囲に含まれる。
【００１６】
更に上述の振動ユニット１のモーター１２の重り１２１には、振動ユニット１が運転する際に生じる上下左右及び傾斜の振動機能を具有し、且つ該篩い分けモジュール２の篩い分けプレート２２の外回りの定位リング２２１の予定直径は、６０センチから１５０センチの間にすることができる。該密閉マット２２１２はゴム、プラスティック、シリコン或いはその他の軟性材質で作ることができる。また、該定位リング２２１の内側に予め設けられる複数の篩い網２３は、金属或いは延性のある細いワイヤを編んで成型する、或いは金属プレートに複数の微小の穴をスタンピングするなどとすることができる。
【実施例２】
【００１７】
図１及び図６に示すように、該篩い分けモジュール２が具有する材料出口２１５の設置位置の最良実施例として、材料入れ２１１の底部に設置する。しかし、実際応用する際には、材料出口２１５を材料入れ２１１の側壁に設置することもできる。本考案の説明書及び図式の範囲内にて変更や調整を行っても、本考案の重要な意義は失われず、本考案の範囲に含まれる。
【００１８】
本考案の篩い分けプレート２２が具有する定位リング２２１の頂上端から内側に向けて結合部２２２を設ける。該結合部２２２の上方に結合面２２２１を具有し、更に篩い網２３を結合面２２２１に結合し、且つ篩い網２３の周辺と結合面２２２１の間に溶接部２３１を設ける。ユーザーが長期的に篩い分けモジュール２を使用して材料を選別する際、該定位リング２２１は内側に向けて設ける結合部２２２を通じて、篩い分けプレート２２と篩い網２３の間で増えた結合面積を持って、結合の強度を増すため、長期的に材料を選別することで、定位リング２２１の内側にある篩い網２３が下向きに窪む状況を軽くすることで、使用回数を増やす目的に達する。
【実施例３】
【００１９】
図７及び図８に示すように、本考案は更に小粒の材料を選別する必要がある場合、まず篩い分けプレート２２を台座２１に重ねて置き、該篩い分けプレート２２の密閉マット２２１２の底面を第一凸縁２１２の上表面に抵触して置いた後、更に一つの目の細かい篩い網を篩い分けプレート２２の上に敷き、更に外枠２４を下向きに重ねて置くことで、目の細かい篩い網が密閉マット２２１２の表面及び外枠２４の第三凸縁２４１の底面によって挟まれるため、振動ユニット１が運転する際に生じる上下、左右及び傾斜の振動などの機能を介し、材料が篩い網２３及び目の細かい篩い網を通って選別、材料分けした後に、材料出口２１５から導き出される。その組合せは大変簡単かつ異なる目の篩い分けプレート２２に交換する必要がなく、使用する上での便利性が増す。更に密閉マット２２１２はゴム、プラスティック、シリコン或いはその他の軟性材質で作れば、目の細かい篩い網がしっかりと挟まれて簡単に揺れ動かない効果がある。
【００２０】
故に、本考案は主に振動ユニット１の上方に篩い分けモジュール２を定位することで、篩い分けモジュール２にある篩い分けプレート２２に具有する定位リング２２１の頂上端から内側に向けて結合部２２２を設け、また篩い網２３を結合部２２２に結合する。ユーザーが長期的に篩い分けモジュール２を使用して材料を選別する際、該篩い分けプレート２２は内側に向けて設ける結合部２２２を通じて、篩い分けプレート２２と篩い網２３の間で増えた結合面積を持って、結合の強度を増すため、長期的に材料を選別することで、定位リング２２１の内側にある篩い網２３が下向きに窪む状況を軽くすることで、使用回数を増やす目的に達する。
【符号の説明】
【００２１】
１  振動ユニット
１１  ケース
１２  モーター
１２１  重り
１３  定位フレーム
１３１  カバー
１４  弾性部品
２  篩い分けモジュール
２１  台座
２１０  収納スペース
２１１  材料入れ
２１２  第一凸縁
２１３  導引面
２１４  材料集め穴
２１５  材料出口
２２  篩い分けプレート
２２１  定位リング
２２１１  第二凸縁
２２１２  密閉マット
２２２  結合部
２２２１  結合面
２３  篩い網
２３１  溶接部
２４  外枠
２４０  材料投入スペース
２４１  第三凸縁
Ａ  振動ユニット
Ｂ  篩い分けモジュール
Ｂ１  材料収納ロート
Ｂ１１  材料出口
Ｂ２  網台
Ｂ２１  定位リング
Ｂ２１１  篩い網
Ｂ２２  フレーム
【図１】
0003208848.tif 000003
【図２】
0003208848.tif 000004
【図３】
0003208848.tif 000005
【図４】
0003208848.tif 000006
【図５】
0003208848.tif 000007
【図６】
0003208848.tif 000008
【図７】
0003208848.tif 000009
【図８】
0003208848.tif 000010
【図９】
0003208848.tif 000011